(57)【要約】【課題】スライドバーに固定状態にロックしたスライドシャワーフックのロック解除を片手操作で簡単に行うことができ、しかもロック解除によってスライドシャワーフック装置が急激に降下してしまうことのないスライドシャワーフック装置を提供する。【解決手段】シャワーヘッドを脱着可能に掛止して保持するスライドシャワーフック１８に、ロック解除のためのロック解除操作部１４を設けて成るスライドシャワーフック装置１６において、ロック解除操作部１４を、スライドシャワーフック１８の下面に且つロック解除のための操作力を上向きに加える形態で設ける。【選択図】        図２
2008190121.tif 000002
【特許請求の範囲】
【請求項１】
シャワーヘッドを脱着可能に掛止して保持するフック部、及びスライドバーに摺動可能に嵌合する嵌合部を備え、該スライドバーに上下にスライド移動可能に組み付けられるスライドシャワーフックに、該スライドシャワーフックを該スライドバーに対し上下の所定位置に固定するロック機構、及び該ロック機構によるロックを解除するロック解除操作部を設けて成るスライドシャワーフック装置において
前記ロック解除操作部を、前記スライドシャワーフックの下面に且つロック解除のための操作力を上向きに加える形態で設けたことを特徴とするスライドシャワーフック装置。
【請求項２】
請求項１において、前記ロック解除操作部を押ボタン操作部となしてあることを特徴とするスライドシャワーフック装置。
【発明の詳細な説明】
【技術分野】
【０００１】
この発明はシャワーヘッドを脱着可能に保持し、スライドバーに沿って上下にスライド移動可能に組み付けられるスライドシャワーフック装置に関し、特にロック機構によるロックを解除するロック解除操作部に特徴を有するものに関する。
【背景技術】
【０００２】
従来、シャワーヘッドを脱着可能に掛止して保持するフック部及びスライドバーに摺動可能に嵌合する嵌合部を備え、スライドバーに上下方向にスライド移動可能に組み付けられるスライドシャワーフックに、これをスライドバーに対し上下の所定位置に固定するロック機構、及びロック機構によるロックを解除するロック解除操作部を設けて成るスライドシャワーフック装置が浴室のシャワー装置等において広く用いられている。
【０００３】
このスライドシャワーフック装置として、ハンドルの回転操作によりロック機構によるロックを行い、また逆方向の回転操作によってロック解除を行うようになしたものが公知である。
【０００４】
図１１及び図１２は、このスライドシャワーフック装置の従来の一例を示している。
図１１において、２００は壁等に上下方向に設けられたスライドバー、２０２はスライドシャワーフック２０４を有するスライドシャワーフック装置で、スライドシャワーフック２０４の内部に、これをスライドバー２００に対し上下方向の所定位置に固定する、ロック解除が可能なロック機構が設けられている。
【０００５】
スライドシャワーフック２０４は嵌合部２０６を備えており、その嵌合部２０６の嵌合孔２０８において、スライドバー２００にスライド移動可能に嵌合している。
スライドシャワーフック２０４は、図中左端部にフック部２１０を備えており、そのフック部２１０の掛止孔２１２に、シャワーヘッドが脱着可能に掛止されるようになっている。
【０００６】
一方反対側の端部には、スライドシャワーフック２０４をスライドバー２００に対して固定し、またその固定を解除するための回転ハンドル式の操作部２１４が設けられている。
このスライドシャワーフック装置２０２では、操作部２１４を一方向に回転操作すると、図１２に示す内部のロック機構２１９が働いて、スライドシャワーフック２０４をスライドバー２００に固定する。
また操作部２１４を逆方向に回転操作すると、そのロック機構
２１９によるロックが解除され、スライドシャワーフック２０４が、スライドバー２００に沿って上下にスライド移動可能となる。
【０００７】
図１２にスライドシャワーフック２０４の内部の構造が示してある。
同図において、２２０はスライドバー２００の外周面に押し付けられて、スライドシャワーフック２０４をスライドバー２００に移動不能に固定するブレーキ部材としての押圧部材で、２１６はこの押圧部材２２０をスライドバー２００に押圧するロック位置と、図中右方向に退避した退避位置との間で進退駆動するリング状の駆動部材で、この例ではこれら押圧部材２２０と駆動部材２１６とでロック機構２１９が構成されている。
【０００８】
このスライドシャワーフック装置２０２では、回転ハンドル式の操作部２１４を一方に回転操作すると、駆動部材２１６がセレーション部２１８でのセレーション結合に基づいて操作部２１４と一体回転する。
すると押圧部材２２０が、ねじ部２２２のねじ送り作用で図中左方向に押し出されて、スライドバー２００の外周面に押し付けられ、ここにおいて押圧部材２２０のブレーキ作用によりスライドシャワーフック２０４が、スライドバー２００に固定状態となる。即ち移動不能なロック状態となる。
一方操作部２１４を逆方向に回転させると、押圧部材２２０が図中右方向に退避し、ここにおいてスライドシャワーフック２０４のスライドバー２００への固定、即ちロックが解除される。
【０００９】
ところでこのスライドシャワーフック装置２０２の場合、ハンドル２１４によるロック解除を片手で操作すると、ロック解除された途端にスライドシャワーフック装置２０２が、それ自身の重み及びフック部２１０に保持されたシャワーヘッドの重み等によって急に降下してしまい、このときシャワーヘッドが脱落してシャワーヘッド自身が破損したり、或いは床面が破損したりする恐れがある。
【００１０】
従ってこのスライドシャワーフック装置２０２の場合、通常は一方の手でスライドシャワーフック装置２０２を手に持ち、今一方の手でハンドル２１４を操作することが必要であり、この場合スライドシャワーフック２０４の位置を移動させるためには両手での操作が必要となり、スライドシャワーフック２０４をある位置から別の位置へと移動させるための操作が面倒である問題がある。
【００１１】
従来、このような回転ハンドルの回転操作によるロック解除とは異なって、スライドシャワーフックの側面にレバー式或いは押ボタン式のロック解除操作部を設け、それらを左右方向或いは下方向に操作することによって、ロック解除するようになしたものも知られている。
【００１２】
例えば下記特許文献１には、スライドシャワーフックの側面にレバー式のロック解除操作部を設け、これを左右方向に操作することでロック解除するようになしたものが開示されている。
しかしながらこの場合においても、片手でロック解除操作したときに、スライドシャワーフック装置がスライドバーに沿って急に降下してしまうために、一方の手でスライドシャワーフック装置を持って、片方の手でロック解除操作部を操作すること、即ち両手での操作が必要であり、上記と同様の問題が生ずる。
【００１３】
特に、スライドシャワーフックの側面に設けた押ボタン式のロック解除操作部を下向きに押し下げることによって、ロック解除するようになしたものにおいては、ロック解除時に操作部に下向きの力が加わっているため、ロック解除と同時にスライドシャワーフック装置が急激に降下し易い問題がある。
【００１４】
【特許文献１】実開昭４７−３２３３７号公報
【発明の開示】
【発明が解決しようとする課題】
【００１５】
本発明は以上のような事情を背景とし、スライドバーに対してスライドシャワーフックを固定するためのロック機構によるロック解除を片手操作で簡単に行うことができ、しかもロック解除によってスライドシャワーフック装置が急激に降下してしまうことのないスライドシャワーフック装置を提供することを目的としてなされたものである。
【課題を解決するための手段】
【００１６】
而して請求項１のものは、シャワーヘッドを脱着可能に掛止して保持するフック部、及びスライドバーに摺動可能に嵌合する嵌合部を備え、該スライドバーに上下にスライド移動可能に組み付けられるスライドシャワーフックに、該スライドシャワーフックを該スライドバーに対し上下の所定位置に固定するロック機構、及び該ロック機構によるロックを解除するロック解除操作部を設けて成るスライドシャワーフック装置において、前記ロック解除操作部を、前記スライドシャワーフックの下面に且つロック解除のための操作力を上向きに加える形態で設けたことを特徴とする。
【００１７】
請求項２のものは、請求項１において、前記ロック解除操作部を押ボタン操作部となしてあることを特徴とする。
【発明の作用・効果】
【００１８】
以上のように本発明は、スライドシャワーフック装置において、スライドシャワーフックの位置を固定するロック機構によるロックを解除するためのロック解除操作部を、スライドシャワーフックの下面に且つロック解除のための操作力を上向きに加える形態で設けたものである。
【００１９】
かかる本発明によれば、ロック解除操作部によってロック解除したとき、スライドシャワーフック装置に対し下から上向きに操作部が加わっているため、ロック解除されたスライドシャワーフック装置がスライドバーに沿って急に降下する問題を生じず、従ってロック解除と同時にスライドシャワーフック装置が急激に降下して、これによりシャワーヘッドが脱落したり、その脱落によってシャワーヘッド自身或いは床面が破損したりする問題を解消することができる。
また一方の手をフリーにした状態で、片方の手だけでロック解除操作を行うことができ、ロック解除操作を簡単に行うことができる。
【００２０】
本発明では、その他に次のような利点が得られる。
通常、スライドバー及びスライドシャワーフック装置は、浴室内の上部から中部（上下中間位置）に設置されることが多く、この場合、シャワーヘッドの使用者はこれを見上げて使用することとなり、その場合にロック解除操作部がスライドシャワーフックの下面に設けてあることによって、ロック解除操作部の視認性が良好となり、ロック解除操作時にロック解除操作部の位置を探す等の行為を行わなくても良い利点が得られる。
【００２１】
またロック解除操作部をスライドシャワーフックの上面や側面に突出形状で設けると、スライドシャワーフック装置の全体の外観が煩雑化し、ロック解除操作部によって美観が損なわれるといった問題が生ずるが、本発明ではロック解除操作部がスライドシャワーフックの下面に設けられていて、側面や上面にそのロック解除操作部が突起物として存在しないため、スライドシャワーフック全体の外観を良好となすことができる。
更に加えて、側方への突起物が無いために、使用者の不意の動作によってその突起物が使用者の身体に当り、身体を傷付ける恐れがない利点も得られる。
【００２２】
本発明では、上記ロック解除操作部を押ボタン操作部となしておくことができ（請求項２）、このようになした場合、押しボタン操作部を単に上向きに押すだけでロック解除を行うことができ、ロック解除操作をより簡単なものとすることができる。
【発明を実施するための最良の形態】
【００２３】
次に本発明の実施形態を図面に基づいて詳しく説明する。
図１において、１０は上下方向に長く延びるスライドバーで、その上端部と下端部とが、背面に配置された上下の一対の取付部材１２，１３にて壁等に取り付けられるようになっている。
【００２４】
この実施形態において、スライドバー１０は横断面形状が左右に長い、即ち左右に幅広の矩形状をなしている。
そして上下一対の取付部材１２，１３は、スライドバー１０に対する正面視において、かかるスライドバー１０の裏側に完全に隠れる状態で設けられている。
【００２５】
１６はスライドシャワーフック装置で、１８はその主要素をなすスライドシャワーフックである。
このスライドシャワーフック１８は、基端部（図中左端部）に嵌合部２０を備えており、その嵌合部２０の嵌合孔２２においてスライドバー１０に上下にスライド移動可能に嵌合している。
【００２６】
スライドシャワーフック１８は、先端部（図中右端部）にフック部２４を備えており、そのフック部２４の掛止孔２６にシャワーヘッドが脱着可能に掛止されるようになっている。
尚、スライドシャワーフック１８は基端部から先端部に向って斜め上向きに僅かに傾斜した形状をなしている。
【００２７】
スライドシャワーフック１８の内部には、スライドシャワーフック１８をスライドバー１０に対し、上方向及び下方向の両方向に固定しロックするロック機構と、ロック解除機構とが設けられており、そして図２に示しているように、スライドシャワーフック１８の下面には、ロック解除操作を行うための押ボタン式のロック解除操作部１４が、下向きに突出する状態で設けられている。
この実施形態では、後に明らかにされるようにこのロック解除操作部１４を上向きに押し上げることによって、ロック機構によるロックが解除される。
【００２８】
図３〜図５に、スライドシャワーフック１８内部の構造が具体的に示してある。
図３において、２８はスライドシャワーフックの本体部で、３０は本体部２８を後述のロック機構，ロック解除機構等とともに覆うカバーである。
この実施形態では、スライドシャワーフック１８をスライドバー１０に対し、上方向と下方向との両方向に固定しロックするロック機構として、ワンウェイクラッチ式の下方向ロック機構３２と、ワンウェイクラッチ式の上方向ロック機構３４との一対のロック機構を備えている。
【００２９】
下方向ロック機構３２は、平面形状が矩形リング状をなす噛込部材（噛込部）３６を有している。
噛込部材３６は、本体部２８の溝３８内に嵌め込まれており、本体部２８と一体に上下に移動するようになっている。
この噛込部材３６の図中左側の内面は、図３の部分拡大図に明らかに示しているように、下方に進むにつれてスライドバー１０の外周面から離れる向きに傾斜する形状の噛込面４０とされている。
【００３０】
４２は被噛込部材（被噛込部）としてのローラで、この下方向ロック機構３２では、噛込部材３６が本体部２８と一体に下向きに移動しようとしたときに、図１０に模式的に示しているように噛込部材３６が噛込面４０でローラ４２をスライドバー１０の外周面とともに噛み込み、以て本体部２８即ちスライドシャワーフック１８を下方向に固定しロックする。
【００３１】
４４はローラ４２を保持する保持部材であって、図３及び図４中、上下方向に移動可能に設けられている。
詳しくはこの保持部材４４は、左右各端部（図７（Ｃ）中上下各端部）が、本体部２８のガイド面５０、カバー３０のガイド面５２にて前後（図７（Ｃ）中左右）に挟まれた状態で、それらガイド面５０，５２のガイド作用の下に図３及び図４中上下に移動可能とされている。
尚カバー３０は、保持部材４４を左右方向（図７（Ｃ）中上下方向）に位置規制し且つガイドするガイド面５４を備えており、保持部材４４は上下に移動する際にこのガイド面５４によっても移動ガイドされる。
【００３２】
この保持部材４４は、図３，図４，図６及び図７にも示しているように上向きに突出した突出部４６を有している。
この突出部４６には保持孔４８が備えられていて、その保持孔４８に、上記のローラ４２が保持部材４４とともに上下に一体移動する状態に保持されている。
【００３３】
この下方向ロック機構３２における保持部材４４は、図３及び図６に示しているようにコイルスプリング（付勢手段）５６にて上向きに付勢されており、従って通常時の状態（ロック状態）では、ローラ４２は上側の噛込位置にあって、噛込部材３６とスライドバー１０とで下方向に噛み込まれた状態にある。
【００３４】
スライドシャワーフック１８は、噛込部材３６がローラ４２をスライドバー１０とともに下方向に噛み込んだ状態にあることによって、下方向への移動が阻止される。
このローラ４２は、保持部材４４が図中下方向に移動せしめられると、これとともに上側の噛込位置から図１０の模式図の（Ｂ）に示す下側の退避位置へと移動せしめられ、ここにおいて下方向ロック機構３２はロック解除状態となって、スライドシャワーフック１８は、スライドバー１０に沿って下方への自由な移動が可能となる。
【００３５】
上記上方向ロック機構３４は、下方向ロック機構３２と同様に、リング状をなす噛込部材５８，被噛込部材（被噛込部）としてのローラ６０、及びローラ６０を保持する上下方向に移動可能な保持部材６２とを有している。
上方向ロック機構３４において、ローラ６０は下方向ロック機構３２のローラ４２と基本的に同一形状をなしており、また噛込部材５８，保持部材６２は、下方向ロック機構３２における噛込部材３６，保持部材４４と上下方向に対称形状をなしている。
【００３６】
詳しくは、上方向ロック機構３４におけるリング状の噛込部材５８は、本体部２８の溝６４に嵌め込まれていて、本体部２８即ちスライドシャワーフック１８と一体に上下移動するようになしてあり、また図中左側に、下方向ロック機構３２における噛込部材３６の噛込面４０と逆方向に且つ同じ角度で傾斜する形状の噛込面６５を備えており、ローラ６０を図中上方向にスライドバー１０とともに噛み込むようになっている。
また保持部材６２は、下向きに突出する突出部６６を有していて、その突出部６６の保持孔６８において、ローラ６０を一体移動する状態に保持している。
【００３７】
また上方向ロック機構３４における保持部材６２は、下方向ロック機構３２と共通のコイルスプリング５６にて下向きに付勢されている。
ここで保持部材４４と６２とには、図６及び図７（Ｂ）に示すように挿入孔９０が設けられていて、その挿入孔９０に、コイルスプリング５６の上端部と下端部とがそれぞれ挿入されている。
【００３８】
従ってこの上方向ロック機構３４においては、通常時（ロック作用時）には、ローラ６０が下側の噛込位置にあって、噛込部材５８はスライドバー１０とともにローラ６０を上向きに噛み込んだ状態にあり、そしてこの噛込部材５８によるローラ６０の上方向の噛込みによって、スライドシャワーフック１８がスライドバー１０に対し上方向に固定状態にロックされる。
【００３９】
図３において、７０は下方向ロック機構３２及び上方向ロック機構３４によるロックを解除するロック解除機構で、７２はその主要素をなす解除部材である。
解除部材７２は、図４及び図６にも示しているように、一対のアーム７４と、それらを連結する連結部７５とを有する、平面形状が全体としてコ字形状をなす部材であって、各アーム７４の図中左端部がＹ字状に二股に分岐しており、それら分岐部が、それぞれ解除作用部７６とされている。
これら解除作用部７６の図中左側の内側の面は、上記保持部材４４，６２に向って互いに開く方向に傾斜する傾斜形状のカム面７８とされている。
【００４０】
尚この解除部材７２には、図６に示しているように一対のアーム７４のそれぞれの内面に沿って、図中左右方向に延びる突条１０４が設けられており、これら突条１０４が、図５に示しているように本体部２８に設けられた支持溝１０６に、摺動可能に嵌り込むことによって、かかる解除部材７２が本体部２８により図５中左右方向に移動可能に保持されている。
この解除部材７２は、図４及び図６に示しているように、解除部材７２の連結部７５と本体部２８との間に介挿されたコイルスプリング１０８にて図中右方向に、即ち後退方向に常時付勢されている。
【００４１】
一対の保持部材４４，６２には、解除部材７２の解除作用部７６にて上下方向に挟まれる、即ち解除作用を受ける被作用部８０が、図４及び図７中左右に突出する形状で設けられており、そしてそれら被作用部８０，８２のそれぞれに、解除作用部７６のカム面７８に対応した傾斜形状の（ここでは同じ角度の傾斜形状の）カム面８４が形成されている。
【００４２】
この解除部材７２の連結部７５には、図４及び図６に示しているように左右方向の中央部に、図中右方に突出する側面形状が三角形状の突出部８６が設けられている。この突出部８６の下側の面は、傾斜形状のカム面８８とされている。
【００４３】
上記押ボタン式のロック解除操作部１４は、カバー３０の開口９２、及び本体部２８の嵌合孔９４（図５（Ｂ）参照）に、その下部がカバー３０から下向きに突出する状態で上下に移動可能に嵌め込まれている。
ここでロック解除操作部１４は、図８に示す支持面９６が、カバー３０の開口９２周縁部によって支持されている。
【００４４】
嵌合孔９４には、図３，図５及び図８（Ａ）に示しているように、リブ状の摺動ガイド９８が設けられており、ロック解除操作部１４は、これらガイド９８によるガイド作用の下に、上下に移動可能とされている。
【００４５】
このロック解除操作部１４には、図６に示しているように左右方向の中央部に、リブ状に上向きに突出した当接部１００が設けられており、この当接部１００の前端に、解除部材７４におけるカム面８８に対応した角度で傾斜するカム面１０２が設けられている。
【００４６】
次に本実施形態のスライドシャワーフック装置１６の作用を説明する。
図３は、上ロック機構３２及び下ロック機構３４が、何れもロック作用状態にあって、スライドシャワーフック１８は、スライドバー１０に対し上方向及び下方向の両方向に固定され、ロックされた状態にある。
【００４７】
このとき、下方向ロック機構３２のローラ４２，上方向ロック機構３４のローラ６０が、それぞれ噛込部材３６，５８によってスライドバー１０とともに下方向，上方向に噛み込まれた状態にあり、また保持部材４４，６２は、それぞれコイルスプリング５６の付勢力によって上昇位置，下降位置にあり、更に解除部材７２は、コイルスプリング１０８の付勢力によって図３，図４中右方向に後退した状態にある。
【００４８】
この状態で、押ボタン式のロック解除操作部１４を図中上向きに押し上げると、図９に示しているように、ロック解除操作部１４のカム面１０２と、解除部材７２のカム面８８との作用によって、解除部材７２が図中左方向に強制的に前進移動させられる。
すると解除部材７２の各アーム７４の、それぞれの先端部に設けられた一対ずつの解除作用部７６が、下方向ロック機構３２の保持部材４４，上方向ロック機構３４の保持部材６２の各被作用部８０，８２を挟み込み、且つカム面７８，８４の作用で、これら被作用部８０，８２を介して保持部材４４を下向きに、また保持部材６２を上向きに強制移動させる。
【００４９】
このとき下方向ロック機構３２のローラ４２が、図１０（Ａ）に示す上側の噛込位置から、図１０（Ｂ）に示す下側の非噛込位置である退避位置へと移動する。
同様に上方向ロック機構３４におけるローラ６０も、下側の噛込位置から上側の非噛込位置である退避位置へと移動する。
【００５０】
ここにおいて下方向ロック機構３２による下方向のロック，上方向ロック機構３４による上方向のロックがそれぞれ解除された状態となり、従ってこの状態でスライドシャワーフック１８は、スライドバー１０に沿って上方向及び下方向の何れにも移動可能となる。
【００５１】
そしてスライドシャワーフック１８を所望の位置に持ち来たしたところで、ロック解除操作部１４に対する上向きの操作力を除くと、解除部材７２が図９の前進位置、即ちロック解除位置から、図中右方向に後退移動させられるとともに、ロック解除操作部１４が下方向に突き出される。
ここにおいて下方向ロック機構３２，上方向ロック機構３４の何れもが再びロック作用状態となり、スライドシャワーフック１８がスライドバー１０に対し所望の位置に固定状態となる。
【００５２】
以上のような本実施形態のスライドシャワーフック装置１６によれば、ロック解除操作部１４によってロック解除したときにスライドシャワーフック装置１６に対し下から上向きに操作部が加わっているため、ロック解除されたスライドシャワーフック装置１６がスライドバー１０に沿って急に降下するといった問題を生じず、従ってロック解除と同時にスライドシャワーフック装置１６が急激に降下して、これによりシャワーヘッドが脱落したりその脱落によってシャワーヘッド自身或いは床面が破損したりする問題を解消することができる。
また、一方の手をフリーにした状態で、片方の手だけでロック解除操作を行うことができ、ロック解除操作を簡単に行うことができる。
【００５３】
またその他に次のような利点が得られる。
通常、スライドバー１０及びスライドシャワーフック装置１６は、浴室内の上部から中部（上下中間位置）に設置されることが多く、この場合シャワーヘッドの使用者はこれを見上げて使用することとなり、その場合にロック解除操作部１４がスライドシャワーフック１８の下面に設けてあることによって、そのロック解除操作部の視認性が良好となり、ロック解除操作時にロック解除操作部１４の位置を探す等の行為を行わなくても良い。
【００５４】
またロック解除操作部１４をスライドシャワーフック１８の側面や上面に突出形状で設けると、スライドシャワーフック装置１６の全体の外観が煩雑化し、ロック解除操作部１４によって美観が損なわれるといった問題が生ずるが、本実施形態ではロック解除操作部１４がスライドシャワーフック１８の下面に設けられていて、側面や上面にそのロック解除操作部１４が突起物として存在しないため、スライドシャワーフック装置１６全体の外観を良好となすことができる。
更に加えて側方への突起物が無いために、使用者の不意の動作によってその突起物が身体に当り、身体を傷付ける恐れがない利点も得られる。
【００５５】
以上本発明の実施形態を詳述したが、これはあくまで一例示であり、本発明はその趣旨を逸脱しない範囲において種々変更を加えた形態で構成可能である。
【図面の簡単な説明】
【００５６】
【図１】本発明の一実施形態のスライドシャワーフック装置をスライドバーと共に外観状態で示す斜視図である。
【図２】図１のスライドシャワーフック装置を別の方向から示した要部斜視図である。
【図３】同実施形態のスライドシャワーフック装置内部構造を組付状態で示す側面断面図である。
【図４】同実施形態のスライドシャワーフック装置の内部構造を組付状態で示す斜視図である。
【図５】同実施形態のスライドシャワーフック装置における本体部の一部を示す斜視図である。
【図６】同実施形態のスライドシャワーフック装置を各部品に分解して示した斜視図である。
【図７】同実施形態のスライドシャワーフック装置における保持部材を示す図である。
【図８】同実施形態のスライドシャワーフック装置におけるロック解除操作部の図である。
【図９】同実施形態のスライドシャワーフック装置のロック解除の際の動作を説明する図である。
【図１０】同実施形態におけるロック機構の原理を説明する図である。
【図１１】従来のスライドシャワーフック装置の一例を示した斜視図である。
【図１２】従来例におけるロック機構を示す断面図である。
【符号の説明】
【００５７】
１０  スライドバー
１４  ロック解除操作部
１６  スライドシャワーフック装置
１８  スライドシャワーフック
３２  下方向ロック機構
３４  上方向ロック機構
【図１】
2008190121.tif 000003
【図２】
2008190121.tif 000004
【図３】
2008190121.tif 000005
【図４】
2008190121.tif 000006
【図５】
2008190121.tif 000007
【図６】
2008190121.tif 000008
【図７】
2008190121.tif 000009
【図８】
2008190121.tif 000010
【図９】
2008190121.tif 000011
【図１０】
2008190121.tif 000012
【図１１】
2008190121.tif 000013
【図１２】
2008190121.tif 000014